(57)【要約】【課題】本発明は、極めて商品価値の高い画期的な電動回動具などの回動工具に連設されるビットを提供することを目的とする。【解決手段】電動回動具などの回動工具１に設けられたチャック部３に嵌入され、端部にビット部２ａが形成されたビット２であって、このビット２は前記チャック部３に対してビット部２ａから所定距離の位置において係止され、また、前記チャック部３は該ビット２を嵌入する嵌入孔７を有し、この嵌入孔７の基部側には基面７ａが設けられ、この基面７ａにはビット部２が嵌入され該嵌入孔７の長さ方向に延設される凹部４が設けられており、更に、このビット２は、端部寄り外周位置に前記基面７ａに面当接する当接部５を設けたものである。【選択図】        図２
2005022017.tif 000002
【特許請求の範囲】
【請求項１】
電動回動具などの回動工具に設けられたチャック部に嵌入され、端部にビット部が形成されたビットであって、このビットは前記チャック部に対してビット部から所定距離の位置において係止され、また、前記チャック部は該ビットを嵌入する嵌入孔を有し、この嵌入孔の基部側には基面が設けられ、この基面にはビット部が嵌入され該嵌入孔の長さ方向に延設される凹部が設けられており、更に、このビットは、端部寄り外周位置に前記基面に面当接する当接部が設けられていることを特徴とする電動回動具などの回動工具に連設されるビット。
【請求項２】
請求項１記載の電動回動具などの回動工具に連設されるビットにおいて、ビットとしてビット部が両端に設けられたビットを採用したことを特徴とする電動回動具などの回動工具に連設されるビット。
【請求項３】
請求項２記載の電動回動具などの回動工具に連設されるビットにおいて、当接部はビット部の周面にして放射位置に突出形成されたリブであることを特徴とする電動回動具などの回動工具に連設されるビット。
【請求項４】
請求項１〜３いずれか１項に記載の電動回動具などの回動工具に連設されるビットにおいて、ビット部として断面四角形状のビット部を採用し、このビット部の各角部に当接部を設けたことを特徴とする電動回動具などの回動工具に連設されるビット。
【発明の詳細な説明】
【０００１】
【発明の属する技術分野】
本発明は、電動回動具などの回動工具に連設されるビットに関するものである。
【０００２】
【従来の技術及び発明が解決しようとする課題】
従来から、電動回動具などの回動工具１に設けられたチャック部３を構成する嵌入孔７に嵌入され、左右両端部にビット部２ａが形成されたビット２が提案されている（本実施例と同一構成部分には同一符号を付した。以下、この項における符号も同様。）。
【０００３】
このビット２を、チャック部３の嵌入孔７に嵌入し、左右のビット部２ａ夫々の端部から等距離の位置に形成された係止溝２ｂに当該チャック部３の内壁面から突出する抜け止め用の球状体６を係止させ、該ビット２を回動工具１に対して抜け止め状態とする。
【０００４】
ところで、このビット２に形成される係止溝２ｂは嵌入孔７へのビット２の着脱（球状体６の係脱）を容易に且つ円滑にするため凹湾曲状に形成されており、しかも、嵌入孔７の底は、ビット２の係止溝２ｂを球状体６に係止した際、ビット部２ａの先端部が当接しないようにかなり奥に形成されている為（種々のビット２に対応する為）、例えば作業中にビスやネジなどを押し込むべく強い力をビット２に加えた際、球状体６と係止溝２ｂとの係止が解除されてビット２が奥へ移動してしまうことがある。
【０００５】
そこで、嵌入孔７の底に凹部４を設けている。この凹部４は、嵌入孔７内の底に嵌入孔７の長さ方向に延設されたもので、その開口縁で奥側へ移動したビット２のビット部２ａを係止し、それ以上の過度嵌入を阻止している（この凹部４の径及び長さは種々のビット部２ａのサイズに対応する為に長め及び径大に形成されている。）。
【０００６】
ところで、ビット部２ａは、プラスドライバータイプやマイナスドライバータイプだけでなく、その他にも種々の形状のタイプが提案されており、近年では例えば断面四角形状のビット部２ａを具備したビット２が多用されている。
【０００７】
このビット部２ａが断面四角形状のタイプの場合、前述した凹部４で過度の嵌入を阻止した際、この凹部４にビット部２ａが深く入って抜けなくなってしまう場合がある。
【０００８】
即ち、例えばプラスドライバービットのようなビット部にある程度のテーパー角度のテーパー面が形成されたビット部２ａであればこのような問題は生じにくいが、断面四角形状のビット部２ａの場合にはテーパー面のテーパー角度が緩く、よって、凹部４に圧嵌状態となって抜けなくなってしまうという問題点が生じる。
【０００９】
本発明は、前述した問題点を解決したもので、電動回動具などの回動工具に連設されるビットを提供することを目的とする。
【００１０】
【課題を解決するための手段】
添付図面を参照して本発明の要旨を説明する。
【００１１】
電動回動具などの回動工具１に設けられたチャック部３に嵌入され、端部にビット部２ａが形成されたビット２であって、このビット２は前記チャック部３に対してビット部２ａから所定距離の位置において係止され、また、前記チャック部３は該ビット２を嵌入する嵌入孔７を有し、この嵌入孔７の基部側には基面７ａが設けられ、この基面７ａにはビット部２が嵌入され該嵌入孔７の長さ方向に延設される凹部４が設けられており、更に、このビット２は、端部寄り外周位置に前記基面７ａに面当接する当接部５が設けられていることを特徴とする電動回動具などの回動工具に連設されるビットに係るものである。
【００１２】
また、請求項１記載の電動回動具などの回動工具に連設されるビットにおいて、ビット２としてビット部２ａが両端に設けられたビット２を採用したことを特徴とする電動回動具などの回動工具に連設されるビットに係るものである。
【００１３】
また、請求項２記載の電動回動具などの回動工具に連設されるビットにおいて、当接部５はビット部２ａの周面にして放射位置に突出形成されたリブであることを特徴とする電動回動具などの回動工具に連設されるビットに係るものである。
【００１４】
また、請求項１〜３いずれか１項に記載の電動回動具などの回動工具に連設されるビットにおいて、ビット部２ａとして断面四角形状のビット部２ａを採用し、このビット部２ａの各角部に当接部５を設けたことを特徴とする電動回動具などの回動工具に連設されるビットに係るものである。
【００１５】
【発明の作用及び効果】
本発明に係るビット２をビスやネジなどの螺着部材に押し付けた場合、該ビット２は嵌入方向へ移動し、基端部が嵌入孔７の基面７ａに設けられた凹部４に嵌入するとともに、ビット部２ａに設けられた当接部５が嵌入孔７の基面７ａに面当接し、よって、該ビット２の過度嵌入が阻止される。
【００１６】
このビット２における過度嵌入の阻止が、嵌入孔７の基面７ａに対する面当接によるものであるため、従来のようにビット部２ａが凹部４に圧嵌するなどして抜けなくなることはない。
【００１７】
従って、嵌入孔７の基面７ａを有効に利用することで確実にビット２の過度嵌入を阻止することができる。
【００１８】
以上のように、本発明は、従来にない画期的な作用効果を発揮し、極めて商品価値の高いものになる。
【００１９】
【発明の実施の形態】
図面は本発明の一実施例を図示したものであり、以下に説明する。
【００２０】
本実施例は、電動回動具などの回動工具１に設けられたチャック部３に嵌入され、端部にビット部２ａが形成されたビット２であって、このビット２は前記チャック部３に対してビット部２ａから所定距離の位置において係止され、また、前記チャック部３は該ビット２を嵌入する嵌入孔７を有し、この嵌入孔７の基部側には基面７ａが設けられ、この基面７ａにはビット部２が嵌入され該嵌入孔７の長さ方向に延設される凹部４が設けられており、更に、このビット２は、端部寄り外周位置に前記基面７ａに面当接する当接部５が設けられているものである。
【００２１】
本実施例は、両端にビット部２ａが形成されたもので、常法に従い、両端をテーパー形状に切削した断面六角形の杆部材を用意し、続いて、この杆部材のテーパー部を９０°づつ回転させカッターにより切削して製造される。
【００２２】
また、ビット２は、その両端から等距離の位置に係止溝２ｂが形成されており、この係止溝２ｂに回動工具１のチャック部３に設けられる球状体６（鋼球）が嵌入してビット２と回動工具１とは連結される。符号１ａは、球状体６の脱落を防止するカバーである。
【００２３】
また、ビット部２ａは、断面四角形状に形成されており、その周面にして各角部には、嵌入孔７の基面７ａに面当接する当接部５が設けられている。
【００２４】
具体的には、この当接部５は、図１，２に図示したようにビット部２ａの周面にして断面四角形状の各角部に所定長さのリブを突出形成して構成されており、このリブの先端面５ａは、ビット２における嵌入方向への移動に際して、基面７ａに突合せた状態で面当接するように構成されている。
【００２５】
また、この当接部５が設けられる位置は、ビット部２ａを螺着部材の頭部の嵌入溝へ嵌入させる際に支障の無い位置となるように設定されている。
【００２６】
本実施例は上述のように構成したから、例えばビット２をビスやネジなどの螺着部材に押し付けるなどして該ビット２に強い力が加わりビット２が嵌入方向へ移動した際、基端側のビット部２ａは嵌入孔７の基面７ａに設けられた凹部４に嵌入し、ビット部２に設けられた当接部５がチャック部３の嵌入孔７の基面７ａに面当接することで、ビット２の過度嵌入が阻止されることになる。
【００２７】
このビット２の過度嵌入の阻止が、チャック部３の基面７ａに対する面当接によるものであるため、従来のようにビット部２ａが凹部４に圧嵌するなどして抜けなくなることはない。
【００２８】
よって、本実施例によれば、嵌入孔７の基面７ａを有効に利用することで確実にビット２の過度嵌入を阻止することができ（基面７ａに設けられた凹部４に対してビット部２ａが強く嵌ってしまうのを確実に防止することができ）、しかも、この当接部５は、加工部分であるビット部２ａに設けられる為、ビット部２ａの形成に際して効率良く形成することができ、よって、量産性に秀れ且つコスト安に製造することができる。
【００２９】
また、本実施例の当接部５はビット部２ａの周面放射位置（９０°間隔の位置）にリブを突出形成した構成であるから、何ら複雑な構造ではなくコスト安にして量産性に秀れることになる。
【００３０】
尚、本発明は、本実施例に限られるものではなく、各構成要件の具体的構成は適宜設計し得るものである。
【図面の簡単な説明】
【図１】本実施例を示す斜視図である。
【図２】本実施例に係る要部の部分拡大説明図である。
【符号の説明】
１  回動工具
２  ビット
２ａ  ビット部
３  チャック部
４  凹部
５  当接部
７  嵌入孔
７ａ  基面
【図１】
2005022017.tif 000003
【図２】
2005022017.tif 000004